(57)【要約】【課題】バッグ本体の開口を開いた状態における使用者のバッグ本体の開口に対する視界を広くすることによって、バッグ本体の開口からのエギの出し入れが容易になるバッグを提供する。【解決手段】上方に開口したバッグ本体２と、回動することによってバッグ本体２の開口を開閉する蓋部３とを備え、蓋部３は、その基端部３１がバッグ本体２に設けられ、基端部３１を回動の中心３ｃとして手前に回動することによってバッグ本体２の開口を閉じるように構成されている。  【選択図】図１
2008011724.tif 000002
【特許請求の範囲】
【請求項１】
上方に開口したバッグ本体と、回動することによってバッグ本体の開口を開閉する蓋部とを備え、蓋部は、その基端部がバッグ本体に設けられ、基端部を回動の中心として手前に回動することによってバッグ本体の開口を閉じるように構成されていることを特徴とするバッグ。
【請求項２】
バッグ本体は、手前側に配置される後壁部と後壁部に対向する前壁部とを備え、蓋部の回動の中心は、前壁部の上端部に設けられていることを特徴とする請求項１に記載のバッグ。
【請求項３】
バッグ本体は、手前側に配置される後壁部と後壁部に対向する前壁部とを備え、後壁部の上端部は、蓋部の先端部が着脱可能な蓋着脱部として構成されており、蓋着脱部は、前壁部側に倒れ可能に構成されていることを特徴とする請求項１又は２に記載のバッグ。
【請求項４】
バッグ本体は、手前側に配置される後壁部と後壁部に対向する前壁部とを備え、後壁部の上端部は、蓋部の先端部が面ファスナを介して着脱可能な蓋着脱部として構成されており、蓋部の先端部には、芯材が内包されていることを特徴とする請求項１乃至３の何れかに記載のバッグ。
【請求項５】
バッグ本体は、手前側に配置される後壁部と、後壁部に対向する前壁部と、前壁部の左右両端部と後壁部の左右両端部とをそれぞれ連結する一対の側壁部とを備え、側壁部は、その上端部が他方の側壁部側に倒れ可能な浸入防止部として構成されていることを特徴とする請求項１乃至４の何れかに記載のバッグ。
【請求項６】
バッグ本体は、手前側に配置される後壁部と、後壁部に対向する前壁部と、前壁部の左右両端部と後壁部の左右両端部とをそれぞれ連結する一対の側壁部とを備え、前壁部と各側壁部とは、それぞれ着脱自在となっていることを特徴とする請求項１乃至請求項４の何れかに記載のバッグ。
【発明の詳細な説明】
【技術分野】
【０００１】
本発明は、例えばエギ等の釣道具を収納して持ち運ぶためのバッグに関する。
【背景技術】
【０００２】
従来、この種のバッグとして、手前側に配置される後壁部と後壁部に対向する前壁部とを具備し上方に開口したバッグ本体と、回動することによってバッグ本体の開口を開閉する蓋部とを備え、蓋部は、その基端部がバッグ本体の後壁部の上端部に設けられ、基端部を回動の中心として手前側から遠くなる方向に回動することによってバッグ本体の開口を閉じるように構成されたものが知られている（例えば、特許文献１参照）。
【０００３】
かかるバッグは、例えば釣に使う複数のエギをバッグ本体の内部に収納して持ち運ぶためのもので、使用者の肩部に掛ける又は腰部に巻き付けるなどして着用するものである。そして、かかるバッグの使用者（釣人）は、バッグを着用して釣り場まで移動し、そのままの状態（バッグを着用した状態）でバッグ本体の開口からエギを出し入れして最適なエギを適宜選択して釣をする。ここで、バッグ本体の開口からエギを出し入れする際には、使用者は、バッグ本体の開口を閉じている蓋部を、後壁部の上端部に設けられた基端部を中心にして手前に回動させてバッグ本体の開口を開く。
【特許文献１】意匠登録第１１７３６８５号公報
【発明の開示】
【発明が解決しようとする課題】
【０００４】
しかしながら、上記従来のバッグにあっては、蓋部がその回動の中心である基端部をバッグ本体の後壁部の上端部に設けられて構成されるものであるので、バッグ本体の開口を開いた状態にすると、蓋部は、手前側に位置する後壁部の上端部から上方へ向けて起立した状態となる。そうすると、バッグ本体の開口からエギを出し入れする場合に、蓋部が不用意に手前側と遠くなる方向（開口部を閉じる方向）に回動してしまい、バッグ本体の開口に対する使用者の視界が遮られる場合がある。このため、バッグの使用者は、かかる視界を確保すべく、例えば蓋部が不用意に回動しないように手で抑えておかなければならず、エギの出し入れ作業が煩雑なものとなっていた。
【０００５】
そこで、本発明は上記従来の問題に鑑みてなされ、バッグ本体の開口を開いた状態における使用者のバッグ本体の開口に対する視界を広くすることによって、バッグ本体の開口からのエギの出し入れが容易になるバッグを提供することを課題とする。
【課題を解決するための手段】
【０００６】
本発明は、上記課題を解決すべくなされたものであり、本発明に係るバッグは、上方に開口したバッグ本体と、回動することによってバッグ本体の開口を開閉する蓋部とを備え、蓋部は、その基端部がバッグ本体に設けられ、基端部を回動の中心として手前に回動することによってバッグ本体の開口を閉じるように構成されていることを特徴とする。
【０００７】
該構成のバッグにあっては、基端部がバッグ本体に設けられた蓋部がその基端部を回動の中心として手前に回動することによってバッグ本体の開口を閉じることができ、その状態から蓋部が開口を閉じる際とは逆の方向に回動することによって、バッグ本体の開口を開けることができる。即ち、蓋部がバッグ本体の開口を閉じた状態から手前側から遠くなる方向に回動することでバッグ本体の開口が開く。このため、バッグ本体の開口が開いた状態では、蓋部が使用者のバッグ本体の開口に対する視界を遮ることはなく、使用者の視界は広くなる。
【０００８】
特に、バッグ本体は、手前側に配置される後壁部と後壁部に対向する前壁部とを備え、蓋部の回動の中心は、前壁部の上端部に設けられていることが好ましい。このようにすると、例えば、蓋部の回動の中心が前壁部の下端部に設けられている場合よりも、バッグ本体の開口に対して蓋部の回動距離が短くなるので、蓋部を回動させる作業が容易になる。
【０００９】
更に、バッグ本体は、手前側に配置される後壁部と後壁部に対向する前壁部とを備え、後壁部の上端部は、蓋部の先端部が着脱可能な蓋着脱部として構成されており、蓋着脱部は、前壁部側に倒れ可能に構成されていることが好ましい。
【００１０】
このような構成であると、蓋着脱部を前壁部側に倒した状態にすることによって、蓋着脱部と蓋部の先端部との取り付け或いは取り外しの作業を、バッグ本体の上方で行うことができ、バッグ本体の開口を開閉する作業がより一層容易となる。
【００１１】
また更に、バッグ本体は、手前側に配置される後壁部と後壁部に対向する前壁部とを備え、後壁部の上端部は、蓋部の先端部が面ファスナを介して着脱可能な蓋着脱部として構成されており、蓋部の先端部には、芯材が内包されていることが好ましい。蓋部の先端部の剛性が強くなり、蓋部の先端部と蓋着脱部との面ファスナを介する着脱を容易且つ迅速に行うことができる。
【００１２】
更に、バッグ本体は、手前側に配置される後壁部と、後壁部に対向する前壁部と、前壁部の左右両端部と後壁部の左右両端部とをそれぞれ連結する一対の側壁部とを備え、側壁部は、その上端部が他方の側壁部側に倒れ可能な浸入防止部として構成されていることが好ましく、バッグ本体の開口を閉じた状態におけるバッグ側方からの水や海水等の浸入を効果的に防止することができる。
【００１３】
また更に、バッグ本体は、手前側に配置される後壁部と、後壁部に対向する前壁部と、前壁部の左右両端部と後壁部の左右両端部とをそれぞれ連結する一対の側壁部とを備え、前壁部と各側壁部とは、それぞれ着脱自在となっていることが好ましい。
【００１４】
このような構成とすると、バッグ本体の開口を閉じた状態から蓋部を手前側から遠くなる方向に回動させてバッグ本体の開口を開き、更に、前壁部と両側壁部とを離間させて前壁部を手前側から遠くなる方向に倒すことによって、使用者の視界をより一層広くすることができ、収納物の出し入れ作業を更に容易にすることができる。
【発明の効果】
【００１５】
このように、本発明にかかるバッグにあっては、蓋部がその基端部がバッグ本体に設けられ、基端部を回動の中心として手前に回動することによってバッグ本体の開口を閉じるように構成されているので、バッグの使用者がバッグ本体の開口を閉じた状態から手前側から遠くなる方向に蓋部を回動させてバッグ本体の開口を開けることで、バッグ本体の開口を開けた状態での使用者のバッグ本体の開口に対する視界が広くなる結果、バッグ本体の開口からのエギ等の出し入れ作業が容易になるという効果を奏する。
【発明を実施するための最良の形態】
【００１６】
以下、本発明に係るバッグの一実施形態について図面を参酌しつつ説明する。
図１に、本実施形態におけるバッグ１が示されている。該バッグ１は、使用者Ｈ（釣人）の肩部から掛ける、或いは、腰部に巻き付けて着用するもので、その内部にエギＥ等の釣道具を収納して釣り場に移動し、バッグ１を着用したままでエギＥを出し入れして使用するものである。バッグ１は、上方へ開口したバッグ本体２と回動することによってバッグ本体２の開口を開閉する蓋部３とを備える。
【００１７】
バッグ本体２は、図２に示すように、手前側に配置される後壁部４と、後壁部４に対向する前壁部５と、前壁部５の左右両端部と後壁部４の左右両端部とをそれぞれ連結する一対の側壁部６とを備える。バッグ本体２は、断面略矩形状の有底箱状であって、上方の開口部からエギＥ等を出し入れすることができるようになっている。
【００１８】
また、バッグ本体２は、図１０に示すように、使用者Ｈがバッグ１を着用した際に、後壁部４が手前側の配置となり、前壁部５が手前側よりも遠い側の配置となる。具体的には、バッグ本体２は、着用状態において、後壁部４が使用者Ｈの身体に近い側（後側）の配置となり、前壁部５が使用者Ｈの身体に対し後壁部４より遠い側（前側）の配置となるように構成されている。尚、本実施形態では、使用者Ｈがバッグ１を着用した状態において、後壁部４は、その外面が使用者Ｈの身体（腰部）に当接する。ここで、手前側とは、使用者Ｈがバッグ１を通常の着用状態（後壁部４を使用者Ｈ側にして着用した状態）で着用したときに、使用者Ｈに近い側（後側）を意味している。
【００１９】
後壁部４は、図４に示すように、左右方向に長尺の略矩形状であり、その上端部が蓋部３の先端部３２と着脱手段を介して着脱可能な蓋着脱部４１として構成されている。蓋着脱部４１は、前壁部５側に倒れ可能に構成されている。具体的には、蓋着脱部４１は、図６に示すように、上下方向に起立した起立位置４１ａから略水平となるまで前壁部５側に倒れた倒れ位置４１ｂとを回動可能に構成されている。よって、蓋着脱部４１は、倒れ位置４１ｂにおいてバッグ本体２の開口の一部を閉塞する。
【００２０】
また、蓋着脱部４１（後壁部４）の外面４ｂには、蓋着脱部４１と蓋部３とを着脱可能とする着脱手段としての面ファスナＦ１の被係合部Ｆ１２が設けられている。尚、本実施形態では、面ファスナＦ１の被係合部Ｆ１２は、後壁部４の左右方向全域に亘るように設けられているが、例えば後壁部４の左右方向略中央の領域などの一部の領域にのみ設けた場合でもよい。
【００２１】
また、図２に示すように、後壁部４の内面４ａには、エギ収納体係止部４２が左右に一対設けられている。エギ収納体係止部４２は、左右方向に伸びる横辺４２１と下方に伸びる縦辺４２２とが略直角に交わる略直角三角形状であり、斜辺４２３側が開口したポケット状である。尚、各エギ収納体係止部４２のそれぞれの横辺４２１の上下方向の位置は、互いにほぼ同じ位置になっており、本実施形態では、蓋着脱部４１の回動の中心４１ｃの位置に対応している。
【００２２】
また、後壁部４には、バッグ１を使用者Ｈの腰部に巻き付けるための腰ベルト７を挿通するための腰ベルト挿通部４３が設けられている。具体的には、腰ベルト挿通部４３は、後壁部４の外面４ｂに左右一対の開口４３ａを設けて外部領域と後壁部４の内部領域とを連通することにより形成されている。尚、腰ベルト挿通部４３の左右双方の開口４３ａには、スライドファスナーＳ１が上下方向にそれぞれ設けられており、開閉自在になっている。
【００２３】
尚、腰ベルト７は、後壁部４の外面４ｂの一方の開口４３ａから他方の開口４３ａまで通すことによってバッグ本体２に取り付けることもできるし、折畳んで腰ベルト挿通部４３の内部に収納することもできる。また、図１に示すように、腰ベルト７の一端部にはバックル７１の係合部７１ａが設けられ、他端部にはバックル７１の被係合部７１ｂが設けられており、バッグ１を腰部に巻き付けて着用する際には、腰ベルト７の一端部の係合部７１ａを他端部の被係合部７１ｂに係合させることでバッグ１を確実に装着することができる。
【００２４】
また、本実施形態では、図６に示すように、後壁部４は、防水性を有する外布４４と可撓性を有する内布４５とを備え、外布４４と内布４５との間に可撓性を有する中布４６とクッション材４７とが中布４６を外布４４側にクッション材４７を内布４５側になるように配置されて構成されている。そして、腰ベルト挿通部４３は、外布４４に上下方向に伸びる開口４３ａが左右方向に離間して一対設けられることによって形成されている。従って、腰ベルト７は、使用状態では、後壁部４の外布４４と中布４６との間の隙間を通ることとなる。
【００２５】
側壁部６は、図５に示すように、上下方向に長尺の略矩形状であり、前壁部５の左右両端部と後壁部４の左右両端部とをそれぞれ連結するように左右に対向して一対設けられている。具体的には、各側壁部６は、一方が前壁部５の左端部と後壁部４の左端部とを連結し、他方が前壁部５の右端部と後壁部４の右端部とを連結するようにバッグ本体２の左右方向に対して一対設けられている。本実施形態においては、側壁部６と後壁部４とは固定されており、具体的には、両側壁部６の各後端部と後壁部４の左右両端部とがそれぞれ縫い合わせられて接続されている。
【００２６】
また、側壁部６は、その上端部が他方の側壁部６側に倒れ可能な浸入防止部６１として構成されている。具体的には、図７に示すように、浸入防止部６１は、上下方向に起立した起立位置６１ａから他方の側壁部６側に略水平となるまで倒れた倒れ位置６１ｂとを回動可能に構成されている。浸入防止部６１は、倒れ位置６１ｂにおいてバッグ本体２の開口部の一部を閉塞する。尚、本実施形態では、浸入防止部６１は、その前後方向の長さが前壁部５と後壁部４との離間距離よりも若干小さくなるように構成されており、浸入防止部６１と蓋着脱部４１とを共に倒れ位置６１ｂ，４１ｂとしたときに、浸入防止部６１と蓋着脱部４１とが緩衝しないようになっている。また、浸入防止部６１と蓋着脱部４１とは、共に起立位置６１ａ，４１ａとしたときに、浸入防止部６１の先端が蓋着脱部４１の先端よりも上方になるようにそれぞれ構成されている。また、浸入防止部６１と蓋着脱部４１とは連結されていない。
【００２７】
尚、側壁部６は、少なくとも浸入防止部６１が一枚の生地にて構成されている。本実施形態では、図７に示すように、側壁部６は、防水性を有する外布６２と可撓性を有する内布６３とを備え、浸入防止部６１は、外布６２が内布６３の上端から上方へ向けて舌片状に突出することによって形成されている。そして、内布６３の上端部が浸入防止部６１の回動の中心６１ｃに位置しており、浸入防止部６１の回動の中心６１ｃと蓋着脱部４１の回動の中心４１ｃとは上下方向の位置がほぼ一致している。尚、外布６２と内布６３との間にはクッション材６４が設けられている。
【００２８】
また、各側壁部６の外面６ａには、バッグ１を使用者Ｈの肩部に掛けるための肩ベルト８を係合する三角リング９がそれぞれ設けられている。そして、肩ベルト８の両端部にそれぞれ設けられている各係合部材８１（例えば、引掛けフックなど）を各々の三角リング９に係合させ、肩ベルト８を使用者Ｈの肩部に掛けてバッグ１を着用する。尚、側壁部６の外面６ａには、図３に示すように、適宜小物収納用の第２ポケットやペットボトル等を収納する網ポケットなどを設けることができる。
【００２９】
前壁部５は、図３に示すように、左右方向に伸びる略矩形状であり、その左右方向の長さが後壁部４の左右方向の長さにほぼ等しくなっている。前壁部５は、後壁部４に対向して設けられている。具体的には、図５に示すように、前壁部５は、後壁部４に対し前側に所定距離離間して後壁部４に対向している。即ち、前壁部５と後壁部４とは、後壁部４が手前側（後側）に配置され、前壁部５が手前側から遠くなる方向に所定距離離間（後壁部４から前側に離間）して配置されている。
【００３０】
従って、図１０に示すように使用者Ｈがバッグ１を着用すると、後壁部４は、前壁部５よりも使用者Ｈに近い配置となってその外面４ｂが使用者Ｈの身体に当接し、前壁部５は、その内面５ａが使用者Ｈ側に向いた状態で後壁部４よりも使用者Ｈから離れた配置となる。
【００３１】
前壁部５は、側壁部６と着脱自在となっている。具体的には、前壁部５の左右両端部と左右両側壁部６の各前端部とは着脱手段としてのスライドファスナーＳ２を介して着脱自在となっている。従って、前壁部５は、その下端部５１を中心５ｃに手前側及び手前から離れる側の双方（前後両方向）に回動可能であり、バッグ本体２の前面側を閉塞する閉じ位置とバッグ本体２の前面側を開放する開き位置とを回動可能に構成されている。尚、着脱手段として、例えば面ファスナを用いてもよい。
【００３２】
また、前壁部５と側壁部６とは、回動規制部５２によって連結されている。具体的には、図１０に示すように、回動規制部５２は、一方の頂点を下方に向けた略三角形状であり、上下方向に折目５２ａが形成されるように内側に折畳み可能に構成されている。回動規制部５２は、前壁部５の左右両端部と左右両側壁部６の各前端部とをそれぞれ連結するように左右に一対設けられており、前壁部５が閉じ位置に位置しているとき（バッグ本体２の前面側を閉じているとき）には、上下方向に伸びる折目５２ａに沿って内側に折畳まれてバッグ本体２の内側に収納されており、前壁部５が開き位置に位置しているとき（バッグ本体２の前面側を開放しているとき）には、突っ張った状態となって前壁部５が開き位置よりも更に回動しないように、前壁部５の回動を規制している。
【００３３】
また、図６及び図１０に示すように、前壁部５の内面５ａには、エギ収納体係止部５３が左右に一対設けられている。エギ収納体係止部５３は、左右方向に伸びる横辺５３１と下方に伸びる縦辺５３２とを備える略直角三角形状で、斜辺５３３側に開口したポケットであり、後壁部４の内面４ａに設けられているエギ収納体係止部４２とほぼ同様の形状である。尚、前壁部５に設けられている両エギ収納体係止部５３は、後壁部４に設けられている両エギ収納体係止部４２にそれぞれ対応する位置に設けられており、本実施形態では、前壁部５の各エギ収納体係止部５３の横辺５３１は、後壁部４の各エギ収納体係止部４２の横辺４２１の上下方向の位置とそれぞれほぼ同じ上下方向の位置になっている。
【００３４】
また、前壁部５の外面５ｂには、前壁部５の外面５ｂ全域に亘るように第１ポケット５４が設けられている。具体的には、図１に示すように、第１ポケット５４は、第１ポケット５４の前壁部５４１が前壁部５の外面５ｂから前方側に所定距離離間して前壁部５と対向するように構成されている。第１ポケット５４の前壁部５４１は、その下端部を回動の中心として前後方向に回動可能に構成されている。つまり、第１ポケット５４の前壁部５４１は、前壁部５の前方に所定距離離間して前壁部５に対向して配置され、その下端部が前壁部５に設けられる一方で上端部と左右側部とが前壁部５に対し着脱可能となっている。尚、第１ポケット５４の前壁部５４１には、ポケットや手拭を掛けるためのフック等を適宜設けることが可能である。
【００３５】
蓋部３は、図１に示すように、左右方向に伸びる略矩形状であり、その左右方向の長さが前壁部５の左右方向の長さと一致しており、左右方向に直交する方向の長さが前壁部５と後壁部４との離間距離より若干長くなっている。蓋部３は、その基端部３１が前壁部５の上端部に設けられており、基端部３１が固定端として、先端部３２が自由端として構成されている。つまり、図５及び図６に示すように、蓋部３は、その基端部３１を回動の中心３ｃとして手前方向（後方側）にも手前から遠くなる方向（前方側）にも回動可能となっている。具体的には、蓋部３は、先端部３２が基端部３１を中心に基端部３１の上方に弧を描くように、前方から後方へ向けて（手前に向けて）又は後方から前方へ向けて（手前から遠くなる側に）回動可能に構成されている。このように、蓋部３は、図１及び図２に示すように、その基端部３１を中心にしてバッグ本体２の開口を閉じる閉じ位置３３とバッグ本体２の開口を開く開き位置３４とを回動可能に構成されているので、蓋部３にてバッグ本体２の開口を開閉することができる。
【００３６】
また、蓋部３は、閉じ位置３３において、その先端部３２が蓋着脱部４１に重なるように構成されている。具体的には、図６に示すように、蓋部３の内面３ａの先端側には、後壁部４との着脱手段としての面ファスナＦ１の係合部Ｆ１１が設けられている。この係合部Ｆ１１を蓋着脱部４１に設けられている被係合部Ｆ１２に係合することにより、蓋部３の閉じ位置３３を維持でき確実にバッグ本体２の開口を閉じた状態としておくことができる。また、蓋部３の先端部３２には、芯材３５が内包されている。具体的には、芯材３５は、蓋部３の内部に蓋部３の左右方向全域に亘って設けられており、例えば剛性の強い樹脂（硬い樹脂）から板状に構成されている。本実施形態では、蓋部３は外布３６と内布３７とを備え、芯材３５は外布３６と内布３７との間に配置されており、蓋部３の先端から面ファスナＦ１の係合部Ｆ１１が設けられている領域まで亘るように設けられている。
【００３７】
また、蓋部３の先端部３２の外面３ｂには、基端部３８１が蓋部３の先端部３２に取り付けられると共に先端部３８２が蓋部３の基端部３１へ向けて伸びて自由端となるように構成された摘み部３８が設けられている。このような摘み部３８が設けられていると、摘み部３８を手指で摘んで蓋部３を回動させることができるので、バッグ本体２の開口の開閉作業をより一層容易に行うことができる。
【００３８】
上記構成のバッグ１は、バッグ本体２の内部に例えばエギ収納体１０が収納されて使用される。具体的には、エギ収納体１０は、板状の基材１１の一方の面（内面）１１１側にエギＥを上下方向に収納するための収納部１２が設けられ、収納部１２の断面形状がその一辺が基材１１の一方の面１１１に沿う略三角形状となるように一対の収納部形成部材１４が設けられ、一方の収納部形成部材１４の一端（下端）１４２から他方の収納部形成部材１４の一端（下端）１４２まで亘る底部材１５が設けられてなる。
【００３９】
基材１１は、図８に示すように、左右方向に伸びる板状であり、例えば透明又は半透明の樹脂プレートにて構成されている。本実施形態では、基材１１は、収納部１２が設けられる内面１１１が対向するように前後に一対配置され、一方の基材１１の外面に隣接して更に前後に一対配置されている。つまり、本実施形態では、４つの基材１１が前後に配置されている。それぞれの基材１１は、底部材１５側となる下端部１１２を中心に他方の基材１１に対して接近する又は離間する方向（前後両方向）に回動可能に構成されている。本実施形態では、それぞれの基材１１は、一つの基材１１の下端部１１２からこの基材１１と対を成す基材１１の下端部１１２まで亘る折代部１３によってそれぞれ連結されて一体となっている。そして、各基材１１の下端部１１２と折代部１３との境目がそれぞれの基材１１の回動の中心１１ｃとなって、各基材１１は、各々前後双方向に回動可能となっている。
【００４０】
収納部形成部材１４は、上下方向に伸びる板形状であり、例えば透明又は半透明の樹脂プレートにて構成されている。収納部形成部材１４の上端１４１は、基材１１の一方の面側である基端１４１ａから基材１１と離間するにつれて底部材１５側に下がっている第１坂部１４１１と、第１坂部１４１１に連続し先端１４１ｂまで底部材１５と略平行となっている又は第１坂部１４１１と同じ方向に第１坂部１４１１よりも緩やかに下がっている第２坂部１４１２とを備える。本実施形態では、収納部形成部材１４は、収納部形成部材１４の上端１４１は、後方端である基端１４１ａから前方端である先端１４１ｂ側ほど収納部形成部材１４の下端１４２側に下がっている第１坂部１４１１と、第１坂部１４１１に連続し先端１４１ｂに至るまで下端１４２と略平行となっている第２坂部１４１２とを備える。
【００４１】
第１坂部１４１１は、図９に示すように、収納部形成部材１４の下端１４２側と反対の方向に凸となるように弓形に曲がった形状である。より詳細には、第１坂部１４１１は、下端１４２側に向けて下がる方向（傾斜方向）に対し略垂直な方向に弓形に突出した曲線形状である。本実施形態においては、収納部形成部材１４の下端１４２側に向けての第１坂部１４１１の傾きは、先端１４１ｂ側になるほど大きな傾きとなるように連続的に大きくなっており、基端１４１ａ側ほど緩やかな傾きで、先端１４１ｂ側ほど下端１４２側へ向けて急な傾きとなっている。
【００４２】
第２坂部１４１２は、第１坂部１４１１の先端側にて第１坂部１４１１に連続し、そこから先端１４１ｂに至るまで収納部形成部材１４の下端１４２に略平行な方向に向けて略平坦に形成されている。本実施形態では、第２坂部１４１２は、第１坂部１４１１に滑らかに連続しているが、第１坂部１４１１に対し屈曲するように連続している場合でもよい。
【００４３】
このような構成の収納部形成部材１４は、基材１１の一方の面としての内面１１１に対し左右何れかの方向に傾けて配置されている。具体的には、収納部形成部材１４は、その上下方向を基材１１の上下方向と一致させると共に、基端部１４ａを基材１１側に向け先端部１４ｂを基材１１から離間する側に向けて、基材１１の内面１１１に対し左右何れかの方向に傾けた状態で配置されている。そして、収納部形成部材１４の基材１１の内面１１１に対する傾きと反対の傾きとなり、先端部１４ｂ同士が接続され基端部１４ａ同士が左右方向に離間するように、収納部形成部材１４に隣接して次の収納部形成部材１４が配置されている。更に、隣接する収納部形成部材１４の基材１１の内面１１１に対する傾きと反対の傾きとなり、隣接する収納部形成部材１４に対して基端部１４ａ同士が接続され先端部１４ｂ同士が左右方向に離間するように、更なる収納部形成部材１４が連続して配置されている。
【００４４】
このように、収納部形成部材１４は、基材１１の内面１１１に対し交互の傾きとなるように、左右方向に複数連設して設けられることにより、収納壁部材１６を構成している。尚、本実施形態では、収納壁部材１６は、各収納部形成部材１４の先端部１４ｂ同士又は基端部１４ａ同士が一体的に連続して構成されている。
【００４５】
また、収納壁部材１６は、左右方向にジグザグ状に連続する複数の収納部形成部材１４のうち、先端部１４ｂ同士が接続され基端部１４ａ同士が離間している一対の収納部形成部材１４のそれぞれの下端部１４２同士を連結する底部材１５を備える。具体的には、底部材１５は、一対の収納部形成部材１４の各下端部１４２において先端部１４ｂ同士が接続され基端部１４ａ同士が離間している一対の収納部形成部材１４の接続部分（各先端部）を一つの頂点とし、各収納部形成部材１４のそれぞれの基端部１４ａを他の二つの頂点とする略三角形状である。
【００４６】
本実施形態におけるエギ収納体１０にあっては、図８に示すように、左右方向にジグザグ状に連続する複数の収納部形成部材１４と、先端部１４ｂ同士が接続され基端部１４ａ同士が離間している一対の収納部形成部材１４のそれぞれの下端部１４２同士を連結する底部材１５とを備える収納壁部材１６が基材１１の一方の面である内面１１１に取り付けられることによって、エギＥを上下方向に収納するための収納部１２が基材１１の内面１１１側に左右方向に複数連設して設けられる。具体的には、収納部形成部材１４の基端部１４ａ同士が接続されている部分が基材１１の内面１１１に当接し底部材１５が基材１１の下端部１１２側となるようにして収納壁部材１６を基材１１の内面１１１に取り付けることによって、基材１１と収納部形成部材１４と底部材１５とで囲まれる領域に収納部１２が形成されることとなる。従って、収納部１２は、その断面形状が基材１１の内面１１１に一辺が沿う略三角形状で、上側が開口し下側が底部材１５にて閉塞されることとなる。そして、左右方向に複数連設した収納部１２それぞれに対し、収納部１２の上側の開口からエギＥを上下方向に出し入れする。
【００４７】
また、一つの基材１１に設けられた収納壁部材１６（一方の収納壁部材１６）と、この基材１１と対を成す基材１１に設けられた収納壁部材１６（対を成す収納壁部材１６）とは、一方の収納壁部材１６を形成する収納部形成部材１４の先端部１４ｂが対を成す収納壁部材１６を形成する収納部形成部材１４の基端部１４ａに対応するように、互いに左右方向に位置ずれして設けられている。
【００４８】
従って、各基材１１をその下端部１１２を中心に対を成す基材１１に対して接近する方向に回動させて基材１１同士を接近状態とすると、一方の基材１１の内面１１１側に設けられる収納部１２を形成する収納部形成部材１４と、他方の基材１１の内面１１１に設けられる収納部１２を形成する収納部形成部材１４とは、互いに相補的に噛み合うこととなる。具体的には、一方の収納壁部材１６を構成する先端部１４ｂ同士が接続された一対の収納部形成部材１４は、他方の収納壁部材１６を構成する基端部１４ａ同士が接続された一対の収納部形成部材１４に重なることとなり、一方の基材１１に設けられた各収納部１２の間に、他方の基材１１に設けられた各収納部１２が各々嵌め合って互いに相補的に噛み合うこととなる。
【００４９】
以上の構成のエギ収納体１０を上記バッグ本体２の内部に収納する。具体的には、図１０に示すように、折代部１３を下側にしてエギ収納体１０をバッグ本体２の開口から投入する。そして、前側の基材１１の上方隅部を前壁部５の内面に設けられたエギ収納体係止部５３にそれぞれ係止し、後側の基材１１の上方隅部を後壁部４の内面に設けられたエギ収納体係止部４２にそれぞれ係止する。このようにすると、前壁部５の前後方向の回動動作に連動して基材１１が回動することとなる。
【００５０】
尚、第１ポケット５４の内部にエギ収納体１０を収納することもできる。このとき、第１ポケット５４の前壁部５４１及び第１ポケット５４の後壁部の内面の上方隅部にエギ収納体係止部をそれぞれ設けるとよい。また、第１ポケット５４の左右両側部に第１ポケット５４の前壁部５４１の回動を規制するように回動規制部を一対設けると、第１ポケット５４の開き具合を調整できるので好ましい。
【００５１】
以上のような構成のバッグ１にあっては、図１０に示すように、後壁部４が使用者Ｈ側に前壁部５が後壁部４より使用者Ｈから離れた側になる向きで、肩ベルト８にて使用者Ｈの肩部に掛ける又は腰ベルト７にて使用者Ｈの腰部に巻き付けて着用する。そして、その状態のままエギＥをバッグ本体２から出し入れする際には、摘み部３８を手指で摘んで、手前側から遠くなる方向（前方向）に蓋部３を回動させる。そうすると、蓋部３の先端部は前壁部５の前方側に位置した状態、即ち、蓋部３は前壁部５の上端部から使用者Ｈから離れる方向（前方）に位置した状態でバッグ本体２の開口が開く。よって、蓋部３が使用者Ｈのバッグ本体２の開口に対する視界を遮ることはなく、使用者Ｈの視界は広くなる。従って、バッグ本体２の開口からのエギＥ等の出し入れ作業が容易になる。
【００５２】
また、蓋部３の回動の中心３ｃ（基端部）は、前壁部５の上端部に設けられているので、例えば、蓋部３の回動の中心３ｃが前壁部５の下端部５１に設けられている場合よりも、バッグ本体２の開口を開閉するのに必要な蓋部３の回動距離が短くなるので、蓋部３を回動させる作業が容易になる。
【００５３】
更に、後壁部４の上端部は、蓋部３の先端部３２が着脱可能な蓋着脱部４１として構成されており、蓋着脱部４１は、前壁部５側に倒れ可能に構成されているので、蓋着脱部４１を前壁部５側に倒すことによって、バッグ本体２の上方にて蓋着脱部４１と蓋部３の先端部３２との面ファスナＦ１を介した着脱作業行うことができ、バッグ本体２の開口を開閉する作業がより一層容易となる。
【００５４】
また更に、蓋部３の先端部３２には、芯材３５が内包されているので、蓋部３の先端部３２の剛性が強くなり、蓋部３の先端部３２と蓋着脱部４１との面ファスナＦ１を介する着脱を容易且つ迅速に行うことができる。
【００５５】
更に、側壁部６は、その上端部が他方の側壁部６側に倒れ可能な浸入防止部６１として構成されているので、浸入防止部６１を倒れ位置６１ｂにした状態で蓋部３にてバッグ本体２の開口を閉じれば、バッグ本体２の開口を閉じた状態におけるバッグ１側方からの水や海水等の浸入を効果的に防止することができる。
【００５６】
また更に、前壁部５と各側壁部６とは、それぞれ着脱自在となっている。よって、前壁部５は、バッグ本体２の前面側を閉じる閉じ位置と、バッグ本体２の前面側を開く開き位置との間で回動可能となり、蓋部３によるバッグ本体２の開口の開放に加えて、前壁部５を開き位置にまで回動させることによって、使用者Ｈの視界をより一層広くすることができ、エギＥの出し入れ作業を更に容易にすることができる。
【００５７】
このとき、前側の基材１１及び後側の基材１１のそれぞれの上方隅部を、エギ収納体係止部４２，５５に各々係止させているので、前壁部５の開き位置への回動動作に連動して各基材１１が回動して基材１１同士が離間することとなり、エギＥの出し入れ作業が一層容易にできる。
【００５８】
尚、本実施形態では、蓋部３の基端部が前壁部５の上端部に設けられている場合について説明したが、これに限られず、例えば、前壁部５の下端部又は後壁部４に設けられていてもよい。
【図面の簡単な説明】
【００５９】
【図１】本発明の一実施形態に係るバッグのバッグ本体の開口を閉じた状態を示す斜視図。
【図２】同バッグのバッグ本体の開口を開いた状態を示す斜視図。
【図３】同バッグのバッグ本体の開口を開いた状態を示す正面図。
【図４】同バッグのバッグ本体の開口を開いた状態を示す背面図。
【図５】同バッグのバッグ本体の開口を開いた状態を示す側面図。
【図６】図３のＰ−Ｐ線断面図。
【図７】図５のＱ−Ｑ線断面図。
【図８】エギ収納体を示す斜視図。
【図９】エギ収納体が相補的に噛み合った状態を示す断面図。
【図１０】同バッグの着用状態を示す斜視図。
【符号の説明】
【００６０】
１…バッグ、２…バッグ本体、３…蓋部、４…後壁部、５…前壁部、６…側壁部、７…腰ベルト、８…肩ベルト、９…三角リング、１０…エギ収納体、１１…基材、１２…収納部、１３…折代部、１４…収納部形成部材、１５…底部材、１６…収納壁部材、３５…芯材、３８…摘み部、４１…蓋着脱部、４２（５３）…エギ収納体係止部、４３…腰ベルト挿通部、５２…回動規制部、５４…第１ポケット、６１…浸入防止部、７１…バックル、８１…各係合部材、１４１１…第１坂部、１４１２…第２坂部、Ｆ１…面ファスナ、Ｓ１（Ｓ２）…スライドファスナー、Ｅ…エギ、Ｈ…使用者
【図１】
2008011724.tif 000003
【図２】
2008011724.tif 000004
【図３】
2008011724.tif 000005
【図４】
2008011724.tif 000006
【図５】
2008011724.tif 000007
【図６】
2008011724.tif 000008
【図７】
2008011724.tif 000009
【図８】
2008011724.tif 000010
【図９】
2008011724.tif 000011
【図１０】
2008011724.tif 000012